(57)【特許請求の範囲】
【請求項１】
上枠と下枠との間を複数本の縦枠により結合して簡易屋根の枠を組み、
前記上枠と縦枠とを枠の下部において固定具により相互に結合し、
前記縦枠の上にパネルを載せ、縦枠カバーをパネルの側縁に被せて縦枠に固定し、
縦枠カバーと上枠との間を結合金具により結合した
ことを特徴とする簡易屋根。
【請求項２】
上枠と下枠との間を複数本の縦枠により結合して簡易屋根の枠を組み、
前記上枠と縦枠とを枠の下部において固定具により相互に結合し、
前記縦枠の上にパネルを載せ、縦枠カバーをパネルの側縁に被せて縦枠に固定し、
結合金具の一端を縦枠カバーに固定具により固定し、結合金具の他端の係止部を前記上枠に設けた係止受部に係止させることにより、縦枠カバーと上枠とを結合した
ことを特徴とする簡易屋根。
【発明の詳細な説明】
【０００１】
【発明の属する技術分野】
本発明は、テラス、バルコニー、カーポート、サンルーム等に適用される簡易屋根に関する。
【０００２】
【従来の技術】
図３（Ａ）はカーポートの正面図、図３（Ｂ）はその側面図であり、カーポートは、基礎１に下端が固定される複数本の支柱２に、雨樋を形成した下枠３を固定し、該下枠３と上枠４との間を複数本の縦枠５により結合して枠組みし、上面よりパネル６を載せて固定する。支柱２と上枠４との間は支持部材７により連結して上枠４側を支持する。これらの支柱２、下枠３、上枠４、縦枠５はアルミニウム合金製形材からなる。一般的には、支持部材７もアルミニウム合金製形材により構成する。８は雨樋の竪樋である。
【０００３】
図４（Ａ）に示すように、上枠４の下枠３に対向する側の面の下部には下枠側に突出した突片４ａを形成し、該突片４ａ上に縦枠５を載せてねじ等の固定具９により結合する。
【０００４】
上枠４の上面には、支持部材７の取付け金具１１を取付けるため、ねじ孔付き裏板１０の収容部４ｂを形成し、取付け金具１１の水平部に設けた孔と、該裏板収容部４ｂの上部に設けた溝４ｃにボルト１２を挿通して裏板収容部４ｂ内の裏板１０のねじ孔にねじ込むことにより取付け金具１１を上枠４に固定し、該取付け金具１１に支持部材７の先端をボルト１３によって結合する。
【０００５】
上枠４の下枠３側の面の上部には凹部４ｄを形成し、該凹部４ｄに硬質塩化ビニル樹脂等からなるグレチャン１４を嵌め込んで固定し、パネル６の上縁をグレチャン１４に嵌め、パネル６の左右の縁を縦枠カバー１５により覆い、ノッチねじ等のように、自己穿孔力のある固定具１６により縦枠カバー１５を縦枠５に固定する。
【０００６】
【発明が解決しようとする課題】
このような簡易屋根においては、通常は、支持部材７が取付け金具１１により上枠４に結合され、縦枠５の上端面は上枠４に当接される。しかし、図４（Ｂ）に示すように、暴風雨時において、パネル６の下面から強風が吹き上げると、支持部材７に上枠４が結合されているので、縦枠５の先端が押し上げられることにより、上枠４および縦枠５が矢印で示すように回動し、縦枠５の先端面の上部と上枠４との間が離れ、パネル６がグレチャン１４から抜け出したり、パネル６がグレチャン１４と共に凹部４ｄから抜け出してしまうという問題点があった。
【０００７】
本発明は、上記した問題点に鑑み、強風がパネル下面から吹き上げた場合においても、パネル６がグレチャン１４から外れたり、パネル６がグレチャン１４と共に上枠４の凹部４ｄから外れたりすることのない構造の簡易屋根を提供することを目的とする。
【０００８】
【課題を解決するための手段】
上記目的を達成するために、本発明は、上枠と下枠との間を複数本の縦枠により結合して簡易屋根の枠を組み、
前記上枠と縦枠とを枠の下部において固定具により相互に結合し、
前記縦枠の上にパネルを載せ、縦枠カバーをパネルの側縁に被せて縦枠に固定し、
縦枠カバーと上枠との間を結合金具により結合した
ことを特徴とする（請求項１）。
【０００９】
また、本発明は、結合金具の一端を縦枠カバーに固定具により固定し、結合金具の他端の係止部を前記上枠に設けた係止受部に係止させることにより、縦枠カバーと上枠とを結合した
ことを特徴とする（請求項２）。
【００１０】
【作用】
請求項１においては、縦枠に固定される縦枠カバーと、上枠とが結合金具により結合されるため、屋根の下方より強風が吹き上げた場合において、縦枠の上枠との突き合わせ面の上部が上枠から外れたることが防止され、パネルやグレチャンの抜け出しが防止される。
【００１１】
請求項２においては、結合金具の縦枠カバー側のみを固定具により固定し、上枠側は結合金具に設けた係止部を上枠の係止受部に係止させるため、取付けが簡単となる。
【００１２】
【実施例】
以下、本発明の実施例を図面を参照して詳述する。図１（Ａ）は本発明の簡易屋根の一実施例を示す平面図、図１（Ｂ）は結合金具の一例を示す斜視図、図１（Ｃ）は本実施例の結合金具の取付け構造を示す斜視図、図２はその断面図である。
【００１３】
図２に示すように、上枠４の下枠３に対向する側の面の下部には下枠側に突出した突片４ａを形成し、該突片４ａ上に縦枠５を載せてねじ等の固定具９により結合する。
【００１４】
図１（Ｃ）、図２に示すように、前記パネル６の上縁をグレチャン１４に嵌め込み、パネル６の左右の縁を縦枠５に載せ、これらのパネル６の縁に縦枠カバー１５を載せ、自己穿孔能力のあるノッチねじ等の固定具１６により縦枠カバー１５を縦枠５に固定する。
【００１５】
１９は縦枠カバー１５と上枠４とを結合する結合金具であり、本実施例の結合金具１９は、図１（Ｂ）に示すように、取付け孔１９ａを有すると共に、先端に曲成された係止部１９ｂを有する。
【００１６】
図１（Ｃ）、図２に示すように、該結合金具１９は、先端の係止部１９ｂを前記上枠４の溝４ｃの縁を係止受部として係止させると共に、前記取付け孔１９ａに自己穿孔能力のあるノッチねじ等の固定具２０を挿通して縦枠カバー１５にねじ込んで固定する。このような結合金具１９は、全縦枠カバー１５について取付けてもよく、図１（Ａ）に示すように、途中の縦枠カバーについては適宜省略してもよい。
【００１７】
このように、結合金具１９により縦枠カバー１５と上枠４とを結合すれば、図２において、矢印で示すように、パネル６の下方より強風が吹き上げても、縦枠カバー１５と上枠４との間が開くことが防止され、その結果、パネル６がグレチャン１４から外れたり、パネル６がグレチャン１４と共に上枠４の凹部４ｄから外れるることが防止される。
【００１８】
なお、固定具２０は、縦枠５に達するまでねじ込む構造にしてもよい。また、係止部１９ｂは溝４ｃに係止するのではなく、裏板収容部４ｂの端面ａに係止する等、他の係止受部に係止するようにしてもよい。さらに、結合金具１９の上枠４側を固定具によって固定してもよい。また、本発明は、図１（Ａ）に示す屋根を２セット用意して上枠４、４どうしを金具により結合し、自動車等の収容スペースを２倍にした構造さらに継ぎ足すことにより、３倍以上とした屋根にも適用でき、また、カーポート以外に、テラス、バルコニー、サンルーム等の屋根としても用いることができる。
【００１９】
その他、本発明を実施する場合、本発明の要旨を変更しない範囲内で、上枠４、縦枠５、パネル６、縦枠カバー１５、結合金具１９等の構造や組み合わせについて、種々に変更、付加が可能である。
【００２０】
【発明の効果】
請求項１によれば、縦枠カバーと上枠とを結合金具により結合したので、強風がパネル下面から吹き上げた場合においても、パネルがグレチャンから外れたり、パネルがグレチャンと共に上枠から外れることがなく、強度の大きな信頼性の高い構造の簡易屋根を提供することができる。
【００２１】
請求項２によれば、請求項１の効果に加え、結合金具に係止部を設け、該係止部を上枠の係止受部に係止させたので、結合金具の取付けが容易となるという効果が得られる。
【図面の簡単な説明】
【図１】（Ａ）は本発明の簡易屋根の一実施例を示す平面図、（Ｂ）は本発明の結合金具の一例を示す斜視図、（Ｃ）は本実施例の結合金具の取付け構造を示す斜視図である。
【図２】本発明の一実施例を示す断面図である。
【図３】（Ａ）、（Ｂ）はそれぞれ従来の簡易屋根の正面図、側面図である。
【図４】（Ａ）は従来の簡易屋根の断面図、（Ｂ）はその問題点を説明する断面図である。
【符号の説明】
２：支柱、３：下枠、４：上枠、４ａ：突片、４ｂ：裏板収容部、４ｃ：溝、５：縦枠、７：支持部材、８：竪樋、９：固定具、１０：裏板、１１：取付け金具、１２、１３：ボルト、１４：グレチャン、１５：縦枠カバー、１６：固定具、１９：結合金具、１９ａ：取付け孔、１９ｂ：係止部、２０：固定具
【図１】
0003707756.tif 000002
【図２】
0003707756.tif 000003
【図３】
0003707756.tif 000004
【図４】
0003707756.tif 000005